(57)【要約】【課題】  透明な小瓶の装飾性を一層に高め、見た目に潤いを与え、癒し効果により使用者の心を和ませることのできるシャンプー液を入れた容器を提供する。【解決手段】  透明な、化粧水や美容液あるいはスタイリング剤やシャンプー液をや入れた化粧容器１において、化粧容器１の中の化粧水や美容液あるいはスタイリング剤やシャンプー液５の中に自然色に着色されたプラスチック製の葉っぱ７または花びら１１を入れ、この葉っぱ７または花びら１１が化粧水や美容液あるいはスタイリング剤やシャンプー液５の中にただよっている状態とした化粧水や美容液あるいはスタイリング剤やシャンプー液を入れた化粧容器。【選択図】        図１
0003102038.tif 000002
【実用新案登録請求の範囲】
【請求項１】
透明なシャンプー液５を入れた化粧容器１において、化粧容器１の中のシャンプー液５の中に自然色に着色されたプラスチック製の葉っぱ７または花びら１１を入れ、この葉っぱ７または花びら１１がシャンプー液５の中にただよっている状態としたことを特徴とするシャンプー液を入れた化粧容器。
【請求項２】
化粧容器１は、その内径４がプラスチック製の葉っぱ７の葉柄８及び葉身９を合わせた全長または花びら１１の全長より短く、化粧容器１の中でプラスチック製の葉っぱ７が葉柄８を上にまたは花びら１１の付け根１２を上にしてシャンプー液５の中にただよっている状態としたことを特徴とする請求項１記載のシャンプー液を入れた化粧容器。
【請求項３】
化粧容器１は、その内径４がプラスチック製の葉っぱ７の葉柄８及び葉身９を合わせた全長または花びら１１の全長より短く、化粧容器１の中でプラスチック製の葉っぱ７が葉柄８を下にまたは花びら１１の付け根１２を下にしてシャンプー液５の中にただよっている状態としたことを特徴とする請求項１記載のシャンプー液を入れた化粧容器。
【請求項４】
葉っぱ７または花びら１１はその比重がシャンプー液５の比重に比して小であることを特徴とする請求項１〜３のいずれか１項に記載のシャンプー液を入れた化粧容器。
【請求項５】
請求項１〜４のいずれか１項に記載のシャンプー液を入れた化粧容器において、化粧容器中のシャンプー液に代え、化粧水、美容液またはスタイリング剤から選択したいずれか１種としたことを特徴とする化粧水、美容液またはスタイリング剤から選択したいずれか１種を入れた化粧容器。
【考案の詳細な説明】
【技術分野】
【０００１】
本考案は、透明なシャンプー液を詰めた透明な化粧容器、特に化粧用の鏡台や化粧室の化粧台あるいは浴室の洗面台に常備し、この化粧容器からシャンプー液の適量を掌に受けて髪や頭皮につけて洗浄するために使用するシャンプー液を入れた透明な化粧容器に関する。
【背景技術】
【０００２】
従来のシャンプー液を封入した容器は、不透明あるいは半透明なポリエチレンその他のプラスチック製の容器に詰められ、使用するときにシャンプー容器を押圧して容器先端部のノズルから適量のシャンプーを押し出し掌に受けるものや、あるいはシャンプー容器の口部に設けた押し下げポンプを押し下げて掌に受けるもの等が広く使用されている。これらのシャンプー容器は、機能的にはシャンプー液の取出しには優れているが、容器そのものが不透明あるいは半透明であるので、化粧台や洗面台に常備するには格別に問題はないが、各種のデザインされた化粧料容器や香水容器などを配置した化粧用の鏡台や化粧室の化粧台などにそれらの容器と共に置く場合には不釣り合いな形状の容器であり、そのままの姿で常備したくはなかった。
【０００３】
また、通常、シャンプー液自体は透明の液体というよりも、その内容物の構成に伴って白濁した液体であるものが多く、また化粧液や美容液も白濁した乳液で有る場合があり、仮に容器自体を内容物の見えるような透明ないし半透明なものとしても、それらは残量を確認できるにとどまるもので、かえって白濁した内容物が見えることによって視覚的な美観を損なってしまうという不都合な点を有するものであった。
【特許文献１】特開平８−２７５８１８号公報
【考案の開示】
【考案が解決しようとする課題】
【０００４】
最近は化粧用の鏡台や化粧室の化粧台あるいは洗面台に種々のデザインされた化粧品の容器とバランス良く配置できるシャンプー液を入れた透明なガラスやプラスチックの小瓶が出現している。ところでこのような小瓶に入れたシャンプー液は頭に振りかけて髪の毛や頭皮を洗浄するために使用されている。この場合のシャンプー液は上記のように透明なシャンプー液で、洒落た透明な容器に詰められている。このような洒落た容器はその容器面がデザイン化された色合いの文字で装飾され、その容器だけで化粧台を楽しく飾るものである。
【０００５】
ところで、本考案が解決しようとする問題点は、さらにそのような透明な小瓶の装飾性を一層に高め、見た目に潤いを与え、癒し効果により使用者の心を和ませることのできるシャンプー液をはじめ化粧水、美容液またはスタイリング剤を入れた容器を提供することである。
【課題を解決するための手段】
【０００６】
上記の課題を解決するための本考案の手段は、請求項１の考案では、透明なシャンプー液５を入れた化粧容器１において、化粧容器１の中のシャンプー液５の中に自然色に着色されたプラスチック製の葉っぱ７または花びら１１を入れ、この葉っぱ７または花びら１１がシャンプー液５の中にただよっている状態としたことを特徴とするシャンプー液を入れた化粧容器である。
【０００７】
請求項２の考案では、化粧容器１は、その内径４がプラスチック製の葉っぱ７の葉柄８及び葉身９を合わせた全長または花びら１１の全長より短く、化粧容器１の中でプラスチック製の葉っぱ７が葉柄８を上にまたは花びら１１の付け根１２を上にしてシャンプー液５の中にただよっている状態としたことを特徴とする請求項１の手段におけるシャンプー液を入れた化粧容器である。
【０００８】
請求項３の考案では、化粧容器１は、その内径４がプラスチック製の葉っぱ７の葉柄８及び葉身９を合わせた全長または花びら１１の全長より短く、化粧容器１の中でプラスチック製の葉っぱ７が葉柄８を下にまたは花びら１１の付け根１２を下にしてシャンプー液５の中にただよっている状態としたことを特徴とする請求項１の手段におけるシャンプー液を入れた化粧容器である。
【０００９】
請求項４の考案では、葉っぱ７または花びら１１はその比重がシャンプー液５の比重に比して小であることを特徴とする請求項１〜３のいずれか１項の手段におけるシャンプー液を入れた化粧容器である。
【００１０】
請求項５の考案では、請求項１〜４のいずれか１項に記載のシャンプー液を入れた化粧容器において、化粧容器中のシャンプー液に代え、化粧水、美容液またはスタイリング剤から選択したいずれか１種としたことを特徴とする化粧水、美容液またはスタイリング剤から選択したいずれか１種を入れた化粧容器である。
【００１１】
通常、シャンプー液５は水よりも粘性があるため、葉っぱ７または花びら１１に限らず、シャンプー液５中に何らかの物体を投入すると、水中の場合に比較してゆっくりと移動する。したがって一時的にはシャンプー液５中で動かず止まっているかのようであっても、時間はかかるものの、時間の経過とともにたいていの場合、物体は上に浮き上がってしまうか、下に沈んでしまうかのいずれかとなる。しかしながら、透明な化粧容器１に葉っぱ７または花びら１１を入れる場合、容器の下にすっかり沈んでしまったり、上に浮き上がってしまっては、姿がよくないために美観上にからあまり好ましくない。この点、シャンプー液に代えて、化粧水、美容液またはスタイリング剤とする場合であっても、上記のシャンプー液と同様に粘性が高い溶液の場合であれば、時間の経過とともに容器の下にすっかり沈んでしまったり、上にすっかり浮き上がってしまって美観上あまり好ましくない。また、水に近い粘性の低い溶液であれば、移動速度が速いため、すっかり浮き上がったり底にすっかり沈んでしまったりするといった美観上の不都合がただちに露顕することとなる。このような美観上の不都合は共通するため、以下、本考案の明細書中では、シャンプー液で代表して化粧水、美容液またはスタイリング剤についても説明している。
【００１２】
そこで、葉っぱ７または花びら１１の比重をシャンプー液５よりやや小さくし、葉柄８の部分のみまたは花びら１１の付け根１２が浮き出る程度に両者の比重のバランスをとる。すなわち、シャンプー液５の比重とほぼ同じだがやや小さく構成せしめた葉っぱ７または花びら１１に形成することとし、さらに、例えば葉っぱ７または花びら１１の重心を葉っぱ７または花びら１１の中心から若干葉身または花びら身にそって移動せしめる、例えば、葉柄８または花びら１１の付け根１２を上にするときは、葉先１０または花びら１１の先端１３側に重心を位置せしめることで、シャンプー液中で葉先１０または花びら１１の先端１３を下に葉柄８または花びら１１の付け根１２の部分を常に上に向けてただようことで、葉っぱ７全体または花びら１１全体がシャンプー液５の液面６に浮いてしまったり、シャンプー液５が十分に容器２に充たされているにもかかわらず容器２の底に沈んでしまったりしないようにする。
【００１３】
なお、葉柄８または花びら１１の付け根１２の部分の長さを長くしたり短くしたり適宜調節することにより、シャンプー液５との比重のバランスは容易にとることができる。
【００１４】
あるいは、予め葉っぱ７全体または花びら１１全体とシャンプー液５の比重を同じにして葉っぱ７または花びら１１全体がシャンプー液上部に浮きあがったりしないようにあるいは底に沈んだりしないようにする。
【００１５】
さらに葉っぱ７または花びら１１が回転して上下の向きを入れ代われないように、容器２の内径４を葉っぱ７または花びら１１の長さに比して短くして垂直方向に細長い形状とし、加えて、葉柄８または花びら１１の付け根１２を上に葉先１０または花びら１１の先端１３を下にしてあるいはその逆の葉先１０または花びら１１の先端１３を上に葉柄８または花びら１１の付け根１２を下にして、容器２に投入することによって、葉っぱ７全体花びら１１全体が偏りなくシャンプー液５中にただよわせるようにしてもよい。すなわち、葉柄８や葉先１０または花びら１１の付け根１２や先端１３の重心バランスを予め厳密に既定しておかなくとも、容器２の内径４と葉っぱ７または花びら１１の大きさとの関係で、葉っぱ７または花びら１１の向きを定めてしまうことにより、葉っぱ７または花びら１１が横を向いたり上下に回転したりすることを避けることができるので、シャンプー液５中に姿よくただよわせることができる。
【００１６】
さらに、容器２を垂直方向に細長い形状としてその内径４を葉っぱ７または花びら１１の横幅よりも小さくし、加えて葉柄８を上に葉先１０を下にしまたは葉先１０を上に葉柄８を下にして葉っぱ７を容器２に投入するか、あるいは、花びら１１の付け根１２を上に先端１３を下にしまたは花びら１１の先端１３を上に付け根１２を下にして花びら１１を容器２に投入することによって、仮にシャンプー液５の比重よりもやや比重の大きい葉っぱ７または花びら１１であるために、葉先１０または葉柄８あるいは花びら１１の先端１３または付け根１２が容器２の底に着くように沈んだとしても、葉っぱ７または花びら１１の全体が容器２の底に寝てしまうことはなく、葉っぱ７または花びら１１は立った状態とすることができる。
【００１７】
このように透明なシャンプー液を封入した容器に花びら１１を入れる場合、例えば、バラや牡丹や芍薬や椿あるいはチューリップどの大輪の花弁のように大きな幅広のものとし、赤、白、黄、ブルーなどの鮮やかな色合いやグラデーションを有する色彩のものとし、また質感や肉感も自然な風合いのプラスチックからなるものとする。
【考案の効果】
【００１８】
本考案は、透明な、シャンプー液や化粧水や美容液あるいはスタイリング剤を封入した化粧容器は透明なプラスチック容器からなり、緑色その他の自然色に着色されたプラスチック製の人造の葉っぱまたは花びらをシャンプー液や化粧水や美容液あるいはスタイリング剤の中にただよわせているので、透明な容器内で立体感が醸しだされ、かつ、色で装飾されて容器内部から爽やかさと清潔感が漲りでることとなり、化粧用の鏡台や化粧室の化粧台あるいは浴室の洗面台に小粋な彩どりを与え、落ち着いた中にも華やかな雰囲気をもたらすなどの癒し効果を有し、優れた効果を奏するものである。
【考案を実施するための最良の形態】
【００１９】
本考案を実施するための最良の形態を、図面を参照して説明する。図１は本考案のシャンプー液５を入れた化粧容器１を示す図で、容器２の中に自然色に着色されたプラスチック製の葉っぱ７が入れられている。図２は図１の葉っぱ７に代えて花びら１１を入れた図である。
【００２０】
この化粧容器１は、蓋３をした状態でその全高１２０ミリで、例えば、容器２の肩までの高さは９５ミリ、容器２の外径４０ミリ、内径３９ミリである。容器２に入れられる葉っぱ７または花びら１１は、例えば、葉っぱ７の場合、図３に示すように、葉先１０から葉身９を経て葉柄８までの全長６５ミリで、葉身の最大幅３０ミリである。したがって、この容器２に上記の大きさの葉っぱ７を入れるとき、葉っぱ７の全長は容器２の内径４よりも長いので、葉っぱ７は、葉身９が横に倒れることなく、図１や図４あるいは図５のように、常に立った状態で容器２のシャンプー液５中にただようものとなる。さらに、図４は断面が角形の容器２であり、この場合には角形の対角線に沿う長さが容器２の内径４である。
【００２１】
ところで、葉っぱ７または花びら１１の比重がシャンプー液５の比重よりも小さいときは、図１や図２や図４あるいは図５の（ｂ）のように、葉っぱ７または花びら１１の一部がシャンプー液５の液面６から突出て立った状態でただよい、葉っぱ７または花びら１１の比重がシャンプー液５の比重よりも大きいときは、例えば葉っぱ７の場合に図５の（ａ）に示すように、葉っぱ７は立った状態で先端を容器２の底に着けて沈んだ状態でただようこととなる。
【００２２】
このプラスチック製の葉っぱ７は葉脈などが形成されており、図３にその外形を示す。図３の（ａ）は葉っぱ７の葉身９を正面から見た図で、（ｂ）は側面から見た図である。プラスチック製の葉っぱ７は、容器２と同じプラスチック素材からなるものとすることで、容器２の素材以外の化学物質の溶出を未然に防いでシャンプー液５の成分に影響がでることを回避する。この考案では、一般にシャンプー容器としてして許可されている、例えばポリエチレンを容器２の素材とし、したがって葉っぱ７もポリエチレンを素材とする。
【００２３】
さらに、プラスチック製の花びら１１は、図２の（ａ）および（ｂ）により、シャンプー容器に入れた状態の花びら１１として示す。図２の（ａ）は花びら１１を正面から見た図で、（ｂ）は側面から見た図である。上記の葉っぱ７の場合と同様に、プラスチック製の花びら１１は、容器２と同じプラスチック素材からなるものとすることで、容器２の素材以外の化学物質の溶出を未然に防いでシャンプー液５の成分に影響がでることを回避する。この考案では、一般にシャンプー容器としてして許可されている、例えばポリエチレンを容器２の素材とし、したがって花びら１１もポリエチレンを素材とする。
【００２４】
本考案のシャンプー液５の使用場所を考慮するとき、浴室や化粧台であることが一般的であることから、容器２が仮に割れた場合を想定すると最適とはいえないが、ガラスのようなシャンプー液５に不活性な素材も容器２の素材として用いることが可能である。その場合は、容器２と葉っぱ７または花びら１１は同一の素材とすることに拘らず、葉っぱ７のみまたは花びら１１のみをポリエチレンなどのプラスチック製とする。
【００２５】
このように葉っぱ７または花びら１１はプラスチック製、例えばポリエチレン製で、自然色に着色されたものとし、とりわけ透明あるいは半透明で光を透過する素材からなるものとする。この場合、自然色に着色するとは、例えば葉っぱ７を緑色、濃緑色、黄緑色などの、実際の葉っぱ７の色合いに近い色合いに着色するという意味であり、素材のポリエチレンをこのような色合いに着色しておく。とりわけ、容器２の中で葉っぱ７や花びら１１が光を透過する素材からなると、透過する光によって色が一層に鮮やかに映え、その綺麗さが向上するので、半透明ないし透明となるように着色するのが好ましい。
【００２６】
また、くすんだ茶や黄を部分的に混ぜることで、より本物の葉っぱ７または花びら１１のような色合いとしたり、さらに葉っぱ７の場合には赤色、黄色、橙色などを着色に利用することで紅葉した秋の感じを表現することももできる。
【００２７】
さらに、葉っぱ７または花びら１１を入れたシャンプー液５が使用する際に容器２内で振動により撹拌されると、シャンプー液５中に気泡が生じて混入することがある。シャンプー液５は単なる水よりも粘性が高いので、この発生した気泡はすぐに浮上することなく十分な時間をかけて浮上し、消失する。そこで、シャンプー液５を透明にすると、シャンプー液５中に形成された気泡が葉っぱ７または花びら１１にまとわりつき、葉っぱ７の場合にはあたかも葉っぱ７から気泡が発生しているかのようになり、水生植物的な美観を呈することとなるため、リアルさが一層醸し出されてより視覚的な効果が高まる。
【図面の簡単な説明】
【００２８】
【図１】本考案における、人造の葉っぱをただよわせたシャンプー液を入れた透明な化粧容器の模式図で、（ａ）は正面図で、（ｂ）は側面図である。
【図２】本考案における、人造の花びらをただよわせたシャンプー液を入れた透明な化粧容器の模式図で、（ａ）は正面図で、（ｂ）は側面図である。
【図３】本考案に用いる人造の葉っぱの模式図で、（ａ）は正面図で、（ｂ）は側面図である。
【図４】本考案における、人造の葉っぱをただよわせたシャンプー液を入れた透明な角形の化粧容器の模式図である。
【図５】本考案における、人造の葉っぱをただよわせたシャンプー液を入れた透明な化粧容器の模式図で、（ａ）は葉っぱの比重がシャンプー液のそれより大である模式図で、（ｂ）は葉っぱの比重がシャンプー液のそれより小であり、かつ葉先を上にした模式図である。
【符号の説明】
【００２９】
１  化粧容器
２  容器
３  蓋
４  内径
５  シャンプー液
６  液面
７  葉っぱ
８  葉柄
９  葉身
１０  葉先
１１  花びら
１２  付け根
１３  先端
【図１】
0003102038.tif 000003
【図２】
0003102038.tif 000004
【図３】
0003102038.tif 000005
【図４】
0003102038.tif 000006
【図５】
0003102038.tif 000007